(57)【特許請求の範囲】
【請求項１】
光源を有する糸巻取枠スタンドの周囲に模様和紙が巻かれ、模様和紙の表面には押し花が配置され、該押し花を覆って前記模様和紙の表面側に半透明の極薄和紙が貼着され、該極薄和紙の表面には糸が巻き付けられている、糸巻き和紙ランプ。
【請求項２】
光源を有する糸巻取枠スタンドの周囲に模様和紙が巻かれ、模様和紙の表裏両面に押し花が配置され、該押し花を覆って前記模様和紙の表面側および裏面側に半透明の極薄和紙が貼着され、表側の極薄和紙の表面には糸が巻き付けられている、糸巻き和紙ランプ。
【請求項３】
光源による発光の位置が変更される、請求項１または請求項２記載の糸巻き和紙ランプ。
【発明の詳細な説明】
【０００１】
【発明の属する技術分野】
本発明は、古くから和装シルク製織道具として使用されていた糸巻取枠スタンド枠を用い、シルク糸のみをそれに巻き付ける構成に代わり、伝統的無形文化財に指定された手漉きの雲竜模様和紙を上に貼り、その上に原型の押し花をのせ、薄い和紙にて固着し、押し花の周りに沿ってこれを立体的に埋封し、固着し、表面の薄い和紙が上面からの貼り付けが感知できないように形成させ、内部から投光する光により、凹面・凸面形態の押し花の微妙な立体的投光感覚を発生形成せしめることを特徴とする種々の形態を組み合わせたランプシェードの構成方法とその製品に関する。
【０００２】
【従来の技術】
従来、和紙等を利用したランプシェードなどの中には、植物の葉等を手漉き折に入れた和紙等を使用したもの、あるいは薄い半透明の紙で覆って貼着するなどの種々の方法があるが、これら従来の方法では単に和紙に自然の花や植物を封入したにすぎない。
【０００３】
【発明が解決しようとする課題】
本発明は、そのため、織物製織に使用する古来から用いられている糸巻取枠スタンド枠に、クワ科の落葉低木楮（こうぞ）の木の皮を原料とする和紙をタタキ加減にて種々の形態に漉きあげた雲竜和紙を用い、本和紙の表面又は裏面に、押し花を添わせ、添わせた押し花を半透明の極薄い和紙にて本和紙の全面を覆って包み込み、フエキを混ぜた木工用のボンドの極薄い糊にて本和紙全面を接着することにより和紙全体が半透明となり、押し花だけが本和紙の上に立体的に浮いて張り付いた感じを与える事のできる、今まで得たことのない自然環境に優しいランプシエードの提供を課題とする。
【０００４】
【課題を解決するための手段】
【０００５】
１．請求項１に係わる手段
糸巻取枠スタンド１の表面に、古来から障子紙として使用されているクワ科の落葉低木楮（こうぞ）の木の皮を原料とする模様和紙２に、乾燥させた自然の押し花３を薄い半透明の極薄い和紙４にて全面的に覆いかぶせ、薄く全面に木工用のボンドにフエキノリを混ぜ合わせた糊にて、紙厚面の薄い和紙４を模様和紙２に密着し、押し花３の周囲を筆とかピンセットにて丁寧に押し潰し、同時に、模様和紙２の全面を接着糊の作用により半透明に変化させて、表面の和紙４がわかり難い状態に変型形成させ、模様和紙２の表面に立体的に押し花３だけが浮かび上がらせ、光源からの光りにより、微妙に種々の形態にて押し花３を立体的に浮かび上がらせる。
【０００６】
２．請求項２に係わる手段
前期手段１の和紙２等を、さらに表面だけでなく、表面・裏面にも表裏の形態にて押し花３を配置し、紙厚面の薄い和紙４を模様和紙２の表裏に密着し、同時に押し花３の周囲を筆とかピンセットにて丁寧に押し潰すことにより、表面・裏面の和紙４が分かり難い状態に変型形成させ、内部の光源からの光りにより、和紙２の表面に遠近的な形態にて押し花３を立体的に浮かび上がらせる。
【０００７】
３．請求項３に係わる手段
前期手段１、前期手段２によって設けられた和紙等２の上面に、３〜５ミリの間隔を開け、素朴な感じのする綿とかシルク糸の天然糸に限定された飾り糸とか紡ぎ糸、リング風の糸、キビソ（繭のカス糸）等にて糸巻取枠スタンド１の糸巻き面５上に添付される。
【０００８】
４．請求項４に係わる手段
糸巻取枠スタンド１の光源６を微妙に移動させることにより、立体的に構成された押し花３を、さらに陰影を可動させ、日ごとに鑑賞ポイントを微妙に変化させる機能をランプシェードの支持具等に装着する。
【０００９】
【発明の実施の形態】
【００１０】
【作用】
本発明は、上記の手段を講じたので、これを使用するときは、従来市販されている和紙を透過する透過光のみによって、穏やかな、美麗な表現をする照明作用と異なり、素朴な自然を表現した押し花３が立体的に糸巻取枠スタンド１の表面に幻想的に現れ、光源６が固定又は光源６を移動することにより、押し花３の立体感に微妙な変化を与え、鑑賞する人に穏やかな何とも言えない立体感を味わせることができる。
【００１１】
【実施例】
以下、図１、図２、図３、図４に基づき、本発明の実施例について、さらに詳細に説明する。
【００１２】
図１において、本発明の糸巻取枠照明スタンドは既に公開実用昭５８−５２８０５にて周囲に糸を巻き付けた糸の巻取枠の内部に電球等の発光部を設けたものとして公知されているが、本発明はこの同じ形態の照明スタンドの糸巻取枠スタンド１にクワ科の落葉低木楮（こうぞ）の木の皮を原料とする通常和風障子に使われている厚さの模様和紙２に、乾燥させた自然のつくし等の押し花３を０．０３〜０．１ミリ厚の薄い半透明の極薄和紙４にて全面的に和紙２に覆いかぶせ、全面に木工用のボンドにフエキノリを混ぜ合わせた薄い糊にて、紙厚面の薄い和紙４を模様和紙２に密着したのち、押し花３の周囲を筆とかピンセット８にて丁寧に押し潰すことにより、表面の和紙４が押し花３を明瞭に際立たせ、薄い和紙４は覆っていることが見る人に感知できない状態に変型形成させ、和紙２の表面に立体的に押し花３だけが立体的に明確に浮かび上がるように構成させる。
【００１３】
従って、本発明は、上記の構成の場合には、一般に雲竜紙と呼ばる和紙を使用し、内部の光源６から投射した光線が模様和紙２の中に渦巻いている雲が浮遊しているように図柄を構成させ、その上に置かれた自然体の押し花の立体感が自然に融合して、今まで獲得出来なかった神秘な和風感覚を得ることが可能となる。
【００１４】
図２に雲竜模様和紙２に押し花３と表面の薄い和紙４が一体に構成された図を示す。
雲竜模様は和紙２の中に雲の流れ模様、竜の動き模様又は雲の渦巻き模様等が描かれた和紙をいい、和紙と同じクワ科の落葉低木を原料とし、和紙を漉く際に発生する、和紙内部に封印された図柄を形成する。
【００１５】
図２に示すように、一般には平らな面に和紙２を広げ、和紙２の表面に押し花３を選択配置し、押し花３を覆うように極薄の和紙４を雲竜和紙２の全面に木工用のボンドにフエキノリを混ぜ合わせた薄い糊にてピッタリと貼り付ける。
【００１６】
上記貼り付けした和紙２は表面に極薄い和紙４を乗せても、使用した糊とよくマッチし全体が半透明となる。
まだ糊が乾燥しない内に、押し花３の周囲を人手により筆とかピンセット８を使用し、注意深く押し花３の周りを、表面を覆う極薄和紙４をピンセット８等にて押し込め、押し花３の立体感を浮かび上がらせる。
図３にその形成された押し花の立体構造を示す。
【００１７】
図４は図２の和紙２の表面に押し花３ａを選択配置した構成と和紙２の裏面にも押し花３ｂを配置し、図２と同じく和紙２の裏面も表面と同じく極薄和紙４ｂを裏面全面に木工用のボンドにフエキノリを混ぜ合わせた薄い糊にてピッタリと貼り付け、押し花３ａと３ｂ等を両面に構成した立体構造を示す。
【００１８】
また、照明スタンドの糸巻取枠スタンド１の外側糸巻き面５の周囲には３〜５ミリの間隔を保持しつつ、素朴な感じのする綿とかシルク糸等の天然糸にて構成された飾り糸とか、紡ぎ糸、リング風の糸、キビソ（繭のカス糸）等７にてスタンド１の糸巻き面５に巻き付け、押し花３を縛り上げる形態に構成し、押し花３の立体感をより一層感じ取れる構成となっている。
その構成を図１、図４に示す・
【００１９】
また、図１に示すように、糸巻取枠スタンド１の光源６を中央に１個設けることにより、表側に配置された押し花３ａは明瞭に見る人の目に立体的に認識されるが、裏側に配置された押し花３ｂは雲竜模様の和紙２を通し、陰様に、見る人の目にこれも立体的に認識されるため、陰陽を合わせもった和風模様を構成することができる。
【００２０】
図４には、また、二つの光源６ａと６ｂを設けた構造を示し、二つと限らず四つの光源を設けても問題なく、点灯はまず光源６ａだけ点灯し、次に６ｂだけ点灯すると、それぞれ点灯位置がずれるため、押し花３ａ、３ｂの立体的陰影が変化し、異なった印象を与えるスタンドを取得することが可能となる。
【００２１】
また、図には明示してないが。光源６ａ、６ｂ等が円形に回転する構造にしてもよく、また、６ａと６ｂとそれぞれ発光色を変化させて設定してもよいことは言うまでもない。
【００２２】
【考案の効果】
以上、詳述したように、従来の絹糸に先染にて染色された色糸等が、枠内部からの光の透過によってのみ感じが構成される従来の電気スタンドと異なり、本発明は、スタンド１表面の雲竜型和紙４と、和紙４上に立体的に構成された押し花３を一層際立たせ、薄い和紙４が全面を覆っていることが感知できない状態に変型形成させ、和紙２の表面に立体的押し花３だけが明確に浮かび上がるように和風的に落ち着いた良好な雰囲気を醸し出す、今までにない照明効果が得られた。
【００２３】
また、和紙２の表面・裏面を用い立体的に押し花３を電気スタンド１の外面・裏面に浮かび上がらせることにより、
また、電気スタンド１の４面を春・夏・秋・冬の押し花３にて形成し、四季の感覚を構成させることにより、
また、電気スタンド１の光源６の点灯位置を変化させる等のことにより、押し花３の影の感覚を日々微妙に変化させる等により、
今までにない電気スタンド用笠を得ることができた。
【００２４】
また、更に上面に綿とかシルク等の天然の糸の飾り糸とかつむぎ糸等を間隔を開けて巻き付けることにより、表面に縞模様を加えた、一層立体感覚を強調する上品な雰囲気の電気スタンド用笠を得ることができた。
【図面の簡単な説明】
【図１】本発明の電気スタンド用笠の全体斜視説明図。
【図２】本発明の外枠に巻き付ける雲竜和紙に押し花を侠着する工程説明図。
【図３】本発明の押し花の立体的構成を示す拡大断面説明図。
【図４】本発明の電気スタンド用笠の断面説明図。
【符号の説明】
１・・・・・・糸巻取枠スタンド
２・・・・・・雲竜模様和紙
３・・・・・・押し花
４・・・・・・極薄和紙
５・・・・・・糸巻き面
６・・・・・・光源
７・・・・・・飾り糸
８・・・・・・ピンセット
【図１】
0004457372.tif 000002
【図２】
0004457372.tif 000003
【図３】
0004457372.tif 000004
【図４】
0004457372.tif 000005